(57)【特許請求の範囲】
【請求項１】
外気を吸い込んで室内に給気する給気手段と、
室内の空気を吸い込んで屋外に排気する排気手段と、
前記給気手段で吸い込んだ外気と前記排気手段で吸い込んだ室内の空気との間で熱交換を行う熱交換手段と、
前記熱交換手段で外気が流入する外気流入部側に配置され、前記熱交換手段に供給される外気を加熱する加熱手段と、
前記熱交換手段で外気が流入する外気流入部側に対向して配置され、前記熱交換手段に供給される外気の温度を検出する外気温度検出手段と、
前記熱交換手段を通る室内の空気の風圧を検出する風圧検出手段と、
前記外気温度検出手段で検出される外気の温度と前記風圧検出手段で検出される前記熱交換手段を通る室内の空気の風圧に基づいて氷結の発生の有無を検出し、氷結の発生の有無に基づいて、前記熱交換手段に供給される外気の前記加熱手段による加熱の有無を切り替える制御手段とを備え、
前記制御手段は、氷結の発生を検出すると、前記熱交換手段に供給される外気の前記加熱手段による加熱を行いながら、常時換気を行う場合の風量で換気運転を続行する
ことを特徴とする換気装置。
【請求項２】
前記風圧検出手段は、前記熱交換手段で室内の空気が流出する室内空気流出部側に配置される
ことを特徴とする請求項１記載の換気装置。
【請求項３】
請求項１または請求項２に記載の換気装置を備えた
ことを特徴とする建物。
【発明の詳細な説明】
【技術分野】
【０００１】
本発明は、室内の空気を換気する換気装置と、換気装置を備えた建物に関する。
【背景技術】
【０００２】
従来から、室内の空気と外気の換気を行う換気装置が提案されている。このような換気装置としては、室内の空気と外気の間で熱交換を行い、外気を室内の温度に近づけて供給できるようにするため、熱交換素子を備えた換気装置が知られている（例えば、特許文献１参照）。
【０００３】
【特許文献１】特許３５０３３６９号公報
【発明の開示】
【発明が解決しようとする課題】
【０００４】
このような熱交換素子を備えた換気装置を寒冷地等で使用すると、冬季は、温度の低い外気と、温度及び湿度の高い室内の空気との間で熱交換が行われることで、熱交換素子において、室内の空気が流れる風路側で結露及び氷結が発生し、熱交換素子が目詰まりを起こすという問題がある。
【０００５】
そして、熱交換素子が目詰まりを起こすと、排気が行えなくなり、換気能力が低下するという問題がある。また、外気と室内の空気との間での熱交換が行われなくなり、温度の低い空気が室内に供給されるという問題がある。
【０００６】
本発明は、このような課題を解決するためになされたもので、熱交換素子の氷結を防止できるようにした換気装置及びこの換気装置を備えた建物を提供することを目的とする。
【課題を解決するための手段】
【０００７】
上述した課題を解決するため、本発明に係る換気装置は、外気を吸い込んで室内に給気する給気手段と、室内の空気を吸い込んで屋外に排気する排気手段と、給気手段で吸い込んだ外気と排気手段で吸い込んだ室内の空気との間で熱交換を行う熱交換手段と、熱交換手段で外気が流入する外気流入部側に配置され、熱交換手段に供給される外気を加熱する加熱手段と、熱交換手段で外気が流入する外気流入部側に対向して配置され、熱交換手段に供給される外気の温度を検出する外気温度検出手段と、熱交換手段を通る室内の空気の風圧を検出する風圧検出手段と、外気温度検出手段で検出される外気の温度と風圧検出手段で検出される熱交換手段を通る室内の空気の風圧に基づいて氷結の発生の有無を検出し、氷結の発生の有無に基づいて、熱交換手段に供給される外気の加熱手段による加熱の有無を切り替える制御手段とを備え、制御手段は、氷結の発生を検出すると、熱交換手段に供給される外気の加熱手段による加熱を行いながら、常時換気を行う場合の風量で換気運転を続行することを特徴とする。
【０００８】
本発明の換気装置では、外気と室内の空気との間で熱交換を行って、外気を室内に給気することで、外気が室温に近づけて給気される。冬季に換気装置を使用すると、温度の低い外気と温度及び湿度の高い室内の空気との間で熱交換が行われることで、熱交換手段では、室内の空気が流れる風路側で結露及び氷結が発生する。
【０００９】
このため、熱交換手段に供給される外気を加熱することで、外気の温度を上昇させて、氷結を解凍すると共に、氷結の発生を防ぐ。
【００１８】
本発明に係る建物は、上述した換気装置の何れかを備えたことを特徴とする。
【００１９】
本発明の建物では、換気装置により外気が室温に近づけられて給気されると共に、室内の空気が屋外へ排気されることで、室内の換気が行われる。冬季に換気装置が使用される場合も、熱交換手段での氷結の発生が抑制されることで、常時換気が可能である。
【発明の効果】
【００２０】
本発明の換気装置によれば、熱交換手段の氷結を防ぐことができるので、熱交換手段における風路の目詰まりを防ぐことができる。これにより、換気能力の低下を防ぐことができる。また、風路の目詰まりに起因して、外気と室内の空気との間での熱交換が行われなくなり、温度の低い外気が室内の給気されることを防ぐことができる。
【００２１】
本発明の建物によれば、上述した換気装置を備えたことで、換気能力が低下することなく常時換気が行われ、室内の空気を新鮮な状態に保つことができると共に、室内の温度低下を防ぐことができる。
【発明を実施するための最良の形態】
【００２２】
以下、図面を参照して本発明の換気装置及び建物の実施の形態について説明する。
【００２３】
＜第１の実施の形態の換気装置の構成例＞
図１は第１の実施の形態の換気装置１Ａの一例を示す構成図である。第１の実施の形態の換気装置１Ａは、外気を吸い込んで室内に給気すると共に、室内の空気を吸い込んで屋外に排気し、かつ、外気と室内の空気との間で熱交換を行う装置であり、ファンユニット２と、熱交換ユニット３と、ファンユニット２及び熱交換ユニット３等を収容した本体ケース４を備える。
【００２４】
ファンユニット２は、給気ファン５と、排気ファン６と、給気ファン５及び排気ファン６を駆動するファンモータ７と、給気ファン５と排気ファン６とファンモータ７が取り付けられたハウジング８等を備える。
【００２５】
給気ファン５は給気手段の一例で、ファンモータ７に回転駆動される多翼ファン５ａと、風路を形成するファンケース５ｂを備える。また、排気ファン６は排気手段の一例で、ファンモータ７に回転駆動される多翼ファン６ａと、風路を形成するファンケース６ｂを備える。
【００２６】
ファンユニット２は、給気ファン５においては、多翼ファン５ａの軸方向に沿ってファンケース５ｂの下面に形成されたファン吸込口５ｃと連通した外気吸込口８ａを、ハウジング８の一方の側面に備える。また、ファンケース５ｂによって多翼ファン５ａの接線方向に沿って形成される風路と連通した外気吹出口８ｂを、ハウジング８の他方の側面に備える。
【００２７】
ファンユニット２は、排気ファン６においては、多翼ファン６ａの軸方向に沿ってファンケース６ｂの下面に形成されたファン吸込口６ｃと連通した室内空気吸込口８ｃを、ハウジング８の他方の側面に備える。また、ファンケース６ｂによって多翼ファン６ａの接線方向に沿って形成される風路と連通した室内空気吹出口８ｄを、ハウジング８の一方の側面に備える。
【００２８】
これにより、給気ファン５と排気ファン６は、外気吹出口８ｂと室内空気吹出口８ｄが、逆向きとなるように上下に重ねて配置される。ファンモータ７は駆動手段の一例で、本例では両軸のモータであり、駆動軸の一端側に給気ファン５の多翼ファン５ａが取り付けられ、駆動軸の他端側に排気ファン６の多翼ファン６ａが取り付けられて、単一の駆動源で給気ファン５と排気ファン６が駆動される。
【００２９】
熱交換ユニット３は、熱交換素子９と、風路形成枠体１０を備える。図２は熱交換素子９の概略構成を示す斜視図であり、まず熱交換素子９の構成について説明する。
【００３０】
熱交換素子９は熱交換手段の一例で、熱伝導性を有する材質で形成され、第１の風路である外気風路１１ａが並列して形成された熱交換素子材１２ａと、第２の風路である室内空気風路１１ｂが並列して形成された熱交換素子材１２ｂとを、外気風路１１ａと室内空気風路１１ｂが直交する向きとして交互に積層して直方体状に構成したものである。
【００３１】
熱交換素子９は、外気風路１１ａと連通する面の一方が外気流入部１３ａとなり、外気流入部１３ａと直交し、室内空気風路１１ｂと連通する面の一方が室内空気流入部１４ａとなる。
【００３２】
また、外気流入部１３ａと対向し、外気風路１１ａと連通する面が外気流出部１３ｂとなり、室内空気流入部１４ａと対向し、室内空気風路１１ｂと連通する面が室内空気流出部１４ｂとなる。
【００３３】
熱交換素子９は、図１に示す風路形成枠体１０により本体ケース４に取り付けられる。風路形成枠体１０は、ファンユニット２の外気吹出口８ｂと連通し、熱交換素子９の外気流入部１３ａに面した外気流入風路１５ａと、熱交換素子９の外気流出部１３ｂに面した外気流出風路１５ｂを備える。
【００３４】
また、風路形成枠体１０は、熱交換素子９の室内空気流入部１４ａに面した室内空気流入風路１６ａと、ファンユニット２の室内空気吸込口８ｃと連通し、熱交換素子９の室内空気流出部１４ｂに面した室内空気流出風路１６ｂを備える。
【００３５】
風路形成枠体１０は、本体ケース４の内部を上下に仕切る仕切り壁部１０ａを備え、上下方向に配置される外気流入風路１５ａと室内空気流出風路１６ｂとの間、及び室内空気流入風路１６ａと外気流出風路１５ｂとの間は、それぞれ仕切り壁部１０ａで仕切られる。また、隣接する外気流入風路１５ａと室内空気流入風路１６ａとの間、及び外気流出風路１５ｂと室内空気流出風路１６ｂとの間は、それぞれ熱交換素子９で仕切られる。
【００３６】
熱交換ユニット３は、外気流入風路１５ａに給気フィルタ１７を備えると共に、室内空気流入風路１６ａに排気フィルタ１８を備える。給気フィルタ１７は、熱交換素子９の外気流入部１３ａに対向して配置され、排気フィルタ１８は、熱交換素子９の室内空気流入部１４ａに対向して配置されて、それぞれ熱交換素子９に対して空気の流れる方向の上流側に配置される。
【００３７】
また、給気フィルタ１７と排気フィルタ１８は、図示しないガイドレール等に引き出し自在に支持されて、熱交換ユニット３の下面を塞ぐ底蓋１９に形成したフィルタ着脱口１９ａから着脱自在な構成である。
【００３８】
熱交換ユニット３は、本体ケース４の下面にドレンパン２０を備える。ドレンパン２０はドレン部材の一例で、熱交換ユニット３の底蓋１９の下部に取り付けられ、フィルタ着脱口１９ａの下部に開閉可能に設けられる点検蓋２１と、排水口２２を備える。
【００３９】
点検蓋２１は、排水口２２側に設けた軸２１ａを支点に回転して、熱交換ユニット３の下面を開閉する。また、点検蓋２１は、固定ネジ２１ｂ等を利用したロック機構を備え、点検蓋２１を閉じて、固定ネジ２１ｂをドレンパン２０側の図示しないネジ穴に締結することで、点検蓋２１は閉状態でロックされる。
【００４０】
点検蓋２１は、閉状態では水を受ける機能を有し、点検蓋２１を含めたドレンパン２０の下面は、排水口２２へ向けて下がる方向に傾斜しており、水が排水口２２へ集められる構成である。
【００４１】
なお、ドレンパン２０と点検蓋２１の継ぎ目には、ゴムパッキン等を利用した図示しないシール部材を備える。また、点検蓋２１を閉じた状態では、ドレンパン２０と点検蓋２１の継ぎ目は、水の流れる方向に対して上流側が上側となるように重ね合わさる構成であり、ドレンパン２０と点検蓋２１との継ぎ目からの水漏れを防ぐ。
【００４２】
熱交換ユニット３の底蓋１９は、水抜き穴１９ｂを備え、熱交換ユニット３において結露等により発生した水分は、フィルタ着脱口１９ａや水抜き穴１９ｂからドレンパン２０に流れ、ドレンパン２０の排水口２２から屋外等へ排水される。
【００４３】
本体ケース４は直方体形状で、ファンユニット２の外気吸込口８ａ及び室内空気吹出口８ｄと対向した一方の側面に、外気吸込口８ａと連通した外気吸込ダクト取付口２３ａを備えると共に、室内空気吹出口８ｄと連通した排気ダクト取付口２３ｂを備える。
【００４４】
また、本体ケース４は、熱交換ユニット３の外気流出風路１５ｂ及び室内空気流入風路１６ａと対向した他方の側面に、外気流出風路１５ｂと連通した給気ダクト取付口２４ａを備えると共に、室内空気流入風路１６ａと連通した室内吸込ダクト取付口２４ｂを備える。
【００４５】
これにより、換気装置１Ａでは、外気吸込ダクト取付口２３ａから給気ファン５を通り、給気フィルタ１７を介して熱交換素子９の外気風路１１ａを通って給気ダクト取付口２４ａにいたる給気風路２５ａと、室内吸込ダクト取付口２４ｂから排気フィルタ１８を介して熱交換素子９の室内空気風路１１ｂを通り、排気ファン６を通って排気ダクト取付口２３ｂにいたる排気風路２５ｂが独立して形成される。
【００４６】
換気装置１Ａは、給気風路２５ａにおいて、熱交換素子９の風上側に外気温度センサ２６とヒータ２７Ａを備える。また、排気風路２５ｂにおいて、熱交換素子９の風下側に風圧センサ２８を備える。
【００４７】
外気温度センサ２６は外気温度検出手段の一例で、外気流入風路１５ａにおいて、給気フィルタ１７を介して熱交換素子９の外気流入部１３ａと対向した位置に配置され、熱交換素子９に流入する外気の温度を検出する。
【００４８】
ヒータ２７Ａは加熱手段の一例で、外気流入風路１５ａにおいて、給気フィルタ１７を介して熱交換素子９の外気流入部１３ａと対向した位置に配置され、熱交換素子９に流入する外気を加熱する。
【００４９】
風圧センサ２８は風圧検出手段の一例で、室内空気流出風路１６ｂにおいて、熱交換素子９の室内空気流出部１４ｂと対向した位置に配置され、熱交換素子９から流出する室内空気の風圧を検出する。
【００５０】
＜第１の実施の形態の換気装置の設置例＞
図３は第１の実施の形態の換気装置１Ａの設置例を示す構成図である。換気装置１Ａは、後述するような建物の天井裏の空間３１に、例えばアンカーボルト３２を利用して吊り下げる形態で設置される。
【００５１】
換気装置１Ａは、外気吸込ダクト取付口２３ａに外気吸込ダクト３３が接続され、排気ダクト取付口２３ｂに排気ダクト３４が接続される。また、換気装置１Ａは、給気ダクト取付口２４ａに給気ダクト３５が接続され、室内吸込ダクト取付口２４ｂに室内吸込ダクト３６が接続される。
【００５２】
外気吸込ダクト３３は、外気の取り入れ口となる屋外フード３３ａから外気を吸い込む。また、排気ダクト３４は、室内空気の排気口となる屋外フード３４ａから室内の空気を排気する。
【００５３】
給気ダクト３５は、天井パネル３７に設置される給気グリル３５ａと接続され、外気を部屋に給気する。ここで、給気ダクト３５に分岐チャンバー３５ｂを備え、１本の給気ダクト３５に複数の給気グリル３５ａを接続できるようにして、複数の部屋への給気が可能な構成である。
【００５４】
室内吸込ダクト３６は、天井パネル３７に設置される吸込グリル３６ａと接続され、室内の空気を吸い込む。
【００５５】
なお、天井パネル３７には開閉可能な点検口３７ａを備え、点検口３７ａを開けることで、換気装置１Ａのドレンパン２０に設けた点検蓋２１を開けて、フィルタの交換が可能となっている。
【００５６】
＜第１の実施の形態の換気装置の制御機能例＞
図４は第１の実施の形態の換気装置１Ａの制御系の一例を示す機能ブロック図である。換気装置１Ａは、制御部４１Ａと操作部４２を備える。制御部４１Ａは制御手段の一例で、ファンモータ７と、ヒータ２７Ａと、外気温度センサ２６と、風圧センサ２８等が接続される。
【００５７】
制御部４１Ａは、図示しないＣＰＵやメモリ等を備え、操作部４２での操作と、外気温度センサ２６及び風圧センサ２８の出力を受け、予め記憶されているプログラムに従って、ファンモータ７とヒータ２７Ａを制御する。
【００５８】
＜第１の実施の形態の建物の構成例＞
図５は換気装置１Ａが設置された第１の実施の形態の建物の一例を示す構成図で、図５（ａ）は建物５１の概要側面図、図５（ｂ）は建物５１の概要平面図である。
【００５９】
建物５１は、本例では２階建ての一戸建て住宅を例にしており、居間や台所等、壁５２ａや扉５２ｂで仕切られた複数の部屋５２を有する。建物５１は、各フロアの廊下５３等の天井裏の空間３１に換気装置１Ａを備える。
【００６０】
換気装置１Ａは、建物５１の外壁に屋外フード３３ａと屋外フード３４ａが取り付けられ、図３で説明したように、屋外フード３３ａと外気吸込ダクト３３を介して接続されると共に、屋外フード３４ａと排気ダクト３４を介して接続される。
【００６１】
また、換気装置１Ａは、ドレンパン２０の排水口２２が排水ホース５４を介して屋外と接続される。
【００６２】
建物５１は、例えば複数の部屋５２のそれぞれの天井に給気グリル３５ａを備え、各給気グリル３５ａと換気装置１Ａは、給気ダクト３５ａ及び分岐チャンバー３５ｂを介して接続される。また、建物５１は、例えば廊下５３の天井に吸込グリル３６ａを備え、吸込グリル３６ａと換気装置１Ａは、室内吸込ダクト３６を介して接続される。
【００６３】
建物５１は、扉５２ｂに設けたアンダーカットＵＤや、図示しないガラリ等を通して部屋５２と廊下５３の間等で空気が流れる構成である。
【００６４】
＜第１の実施の形態の換気装置の動作例＞
次に、各図を参照して第１の実施の形態の換気装置１Ａの動作について説明する。
【００６５】
換気装置１Ａは、所定時間、例えば１時間で部屋５２の空気の半分を入れ替えるために、２４時間連続運転される。すなわち、換気装置１Ａは、ファンモータ７を駆動することで、給気ファン５の多翼ファン５ａと排気ファン６の多翼ファン６ａが同期して回転する。
【００６６】
まず、給気ファン５側の空気の流れを説明すると、給気ファン５の多翼ファン５ａが回転駆動されることで、給気風路２５ａを通る空気の流れが生じ、ファンユニット２の外気吸込口８ａから空気が吸い込まれ、吸い込まれた空気はファンユニット２の外気吹出口８ｂから熱交換ユニット３の外気流入風路１５ａへ排出される。
【００６７】
外気吸込口８ａは外気吸込ダクト取付口２３ａと連通し、外気吸込ダクト取付口２３ａは、図３及び図５に示すように、屋外フード３３ａと外気吸込ダクト３３を介して接続されるので、給気ファン５が回転駆動されることで、外気ＯＡが吸い込まれる。
【００６８】
ファンユニット２の外気吹出口８ｂから熱交換ユニット３の外気流入風路１５ａへ排出された空気（外気）は、給気フィルタ１７を介して外気流入部１３ａから熱交換素子９の外気風路１１ａへ流入し、外気流出部１３ｂから外気流出風路１５ｂへ排出される。
【００６９】
外気流出風路１５ｂは給気ダクト取付口２４ａと連通し、給気ダクト取付口２４ａは、図３及び図５に示すように、給気グリル３５ａと給気ダクト３５及び分岐チャンバー３５ｂを介して接続されるので、給気ファン５が回転駆動されることで、外気ＯＡが給気ＳＡとして各部屋５２に供給される。
【００７０】
次に、排気ファン６側の空気の流れを説明すると、排気ファン６の多翼ファン６ａが回転駆動されることで、排気風路２５ｂを通る空気の流れが生じ、室内吸込ダクト取付口２４ｂから熱交換ユニット３の室内空気流入風路１６ａに空気が吸い込まれる。室内吸込ダクト取付口２４ｂは、図３及び図５に示すように、吸込グリル３６ａと室内吸込ダクト３６を介して接続されるので、排気ファン６が回転駆動されることで、廊下５３から室内の空気（ＲＡ）が吸い込まれる。
【００７１】
ここで、建物５１では、廊下５３と各部屋５２の間は、扉５２ｂのアンダーカットＵＤや図示しないガラリ等を介して空気が流れる構成である。このため、廊下５３に設けた吸込グリル３６ａから換気装置１Ａにより空気を吸い込むと、図５に矢印で示すように、各部屋５２から廊下５３へと空気が流れる。これにより、換気装置１Ａで各部屋５２の空気が吸い込まれる。
【００７２】
室内吸込ダクト取付口２４ｂから熱交換ユニット３の室内空気流入風路１６ａへ吸い込まれた空気は、排気フィルタ１８を介して室内空気流入部１４ａから熱交換素子９の室内空気風路１１ｂへ流入し、室内空気流出部１４ｂから室内空気流出風路１６ｂへ排出される。
【００７３】
熱交換ユニット３の室内空気流出風路１６ｂへ排出された空気は、室内空気流出風路１６ｂと連通したファンユニット２の室内空気吸込口８ｃから吸い込まれ、吸い込まれた空気はファンユニット２の室内空気吹出口８ｄへ排出される。
【００７４】
室内空気吹出口８ｄは排気ダクト取付口２３ｂと連通し、排気ダクト取付口２３ｂは、図３及び図５に示すように、屋外フード３４ａと排気ダクト３４を介して接続されるので、排気ファン６が回転駆動されることで、室内の空気ＲＡが吸い込まれて排気ＥＡとして屋外へ排気される。
【００７５】
熱交換素子９は、上述したように外気風路１１ａを外気ＯＡが通る。これに対して、室内空気風路１１ｂは室内の空気ＲＡが通る。これにより、外気風路１１ａが形成された熱交換素子材１２ａと室内空気風路１１ｂが形成された熱交換素子材１２ｂを介して熱交換が行われ、外気ＯＡは室温に近づけられて供給される。
【００７６】
換気装置１Ａでは、建物５１の屋外から吸い込まれて、各部屋５２に供給される外気ＯＡが通る給気風路２５ａと、各部屋５２から吸い込まれて屋外へ排気される室内の空気ＲＡが取る排気風路２５ｂは、熱交換ユニット３を構成する風路形成枠体１０、熱交換素子９、ファンユニット２を構成するハウジング８によって独立している。
【００７７】
これにより、屋外から吸い込んだ外気ＯＡと部屋５２から吸い込んだ室内の空気ＲＡが混合することなく、熱交換が行われて換気が行われる。更に、熱交換ユニット３に給気フィルタ１７を備えることで、埃等が除去される。よって、建物５１の各部屋５２に新鮮な空気を供給することができると共に、各部屋５２の空気を排気することで、部屋５２の空気を入れ替えることができる。
【００７８】
なお、熱交換ユニット３に排気フィルタ１８を備えるのは、室内の埃等で熱交換素子９が目詰まり等を起こすことを防ぐためである。
【００７９】
さて、寒冷地に建築された建物５１に換気装置１Ａを設置して使用する場合、特に冬季は外気ＯＡと室内温度の差が大きいことから、熱交換ユニット３で内部結露を生じる。
【００８０】
換気装置１Ａは、熱交換ユニット３の下部にドレンパン２０を備えているので、熱交換ユニット３で発生した内部結露による水は、底蓋１９のフィルタ着脱口１９ａや水抜き穴１９ｂ等を通してドレンパン２０に流れ込み、排水口２２から排水ホース５４を介して建物５１の屋外へ排水される。
【００８１】
＜第１の実施の形態の換気装置の氷結防止制御例＞
図６は第１の実施の形態の換気装置１Ａにおける氷結防止制御例を示すフローチャートで、次に、各図を参照して、第１の実施の形態の換気装置１Ａにおける氷結防止制御について説明する。
【００８２】
ステップＳＡ１：換気装置１Ａの制御部４１Ａは、上述した動作例で説明した通り、ファンモータ７を駆動して建物５１の常時２４時間換気を行う。
【００８３】
ステップＳＡ２：制御部４１Ａは、外気温度センサ２６の出力を監視する。外気温度センサ２６は、検出した温度が所定の値を下回ると、例えば出力がオンに変化するように構成される。外気温度センサ２６は給気風路２５ａに備えてあるので、給気ファン５で吸い込んだ外気ＯＡの温度が検出される。これにより、冬季に換気装置１Ａを使用した場合、外気ＯＡの温度が低下（例えば氷点下）すると、外気温度センサ２６の出力がオンに変化する。
【００８４】
ステップＳＡ３：制御部４１Ａは、風圧センサ２８の出力を監視する。風圧センサ２８は、検出した風圧が所定の値を下回ると、例えば出力がオンに変化するように構成される。風圧センサ２８は、排気風路２５ｂにおいて熱交換素子９の風下側に備えてあるので、熱交換素子９の室内空気風路１１ｂを正常に空気が流れているか否かが検出される。
【００８５】
さて、冬季に換気装置１Ａを使用した場合、外気ＯＡの温度が低く、これに対して空気調和された室内の空気ＲＡの温度及び湿度が高いので、外気ＯＡと室内の空気ＲＡが熱交換素子９で熱交換されると、湿った暖かい室内の空気ＲＡが冷却されることで飽和空気となり、熱交換素子９の室内空気風路１１ｂで結露が生じる。
【００８６】
そして、寒冷地で冬季に換気装置１Ａを使用して、外気ＯＡの温度が氷点下に達すると、熱交換素子９の室内空気風路１１ｂで氷結が発生し、目詰まりを生じる。熱交換素子９においては、特に、室内空気風路１１ｂと繋がる室内空気流出部１４ｂで氷結が発生しやすい。
【００８７】
これにより、冬季に換気装置１Ａを使用した場合、外気ＯＡの温度が氷点下に達すると、熱交換素子９の室内空気風路１１ｂ側で氷結が発生することで空気の流れが悪化し、風圧センサ２８の出力がオンに変化する。
【００８８】
ステップＳＡ４：制御部４１Ａは、外気温度センサ２６の出力がオンに変化し、風圧センサ２８の出力がオンに変化すると、ヒータ２７Ａに通電する。ヒータ２７Ａは、給気風路２５ａにおいて熱交換素子９の風上側に備えてあるので、ヒータ２７Ａに通電すると、熱交換素子９に流入する外気ＯＡが加熱される。
【００８９】
これにより、温度の高い空気が熱交換素子９の外気風路１１ａを通過することになり、熱交換素子材１２ａ，１２ｂを介して外気風路１１ａと接する室内空気風路１１ｂも温められ、室内空気風路１１側ｂで発生した氷結を解凍することができる。
【００９０】
従って、熱交換素子９の室内空気風路１１ｂ側での目詰まりは解消し、換気能力が正常になる。なお、氷結が解凍したことで発生した水分は、底蓋１９のフィルタ着脱口１９ａや水抜き穴１９ｂ等を通してドレンパン２０に流れ込み、排水口２２から排水ホース５４を介して建物５１の屋外へ排水される。
【００９１】
そして、熱交換素子９の室内空気風路１１ｂ側での目詰まりが解消すると、風圧センサ２８の出力がオフに変化する。制御部４１Ａは、風圧センサ２８の出力がオフに変化すると、ヒータ２７Ａへの通電を停止する。
【００９２】
なお、外気ＯＡの温度が高い場合に、埃等で熱交換素子９の室内空気風路１１ｂが目詰まりを起こし、風圧センサ２８の出力がオンに変化した場合は、外気温度センサ２６の出力はオフのままでオンに変化しないので、ヒータ２７Ａは通電されない。よって、誤動作を防止できる。
【００９３】
以上説明したように、第１の実施の形態の換気装置１Ａでは、外気ＯＡの温度と熱交換素子９の室内空気風路１１ｂを流れる空気の風圧から、熱交換素子９での氷結の発生を検出し、ヒータ２７Ａで外気ＯＡを加熱して氷結を溶かす構成とした。寒冷地で冬季に換気装置１Ａを使用した場合に、熱交換素子９の室内空気風路１１ｂで氷結が発生すると、排気風路２５ｂを正常に空気が流れなくなり、換気能力が低下する。また、熱交換素子９での熱交換が行われなくなり、熱交換されない冷たい空気が部屋に供給される。
【００９４】
これに対して、熱交換素子９での氷結の発生を検出して、氷結が発生していると判断できる場合は、換気運転は行いながら、ヒータ２７Ａに通電して氷結を溶かすこととしたので、寒冷地で冬季に換気装置１Ａを使用しても、換気能力及び熱交換能力を低下させることなく２４時間換気が可能となる。
【００９５】
＜第２の実施の形態の換気装置の構成例＞
図７は第２の実施の形態の換気装置１Ｂの一例を示す構成図である。第２の実施の形態の換気装置１Ｂは、外気を吸い込んで室内に給気する給気ファン５と、室内の空気を吸い込んで屋外に排気する排気ファン６とを有するファンユニット２と、外気と室内の空気との間で熱交換を行う熱交換素子９を有する熱交換ユニット３とを備える。
【００９６】
そして、図１で説明した第１の実施の形態の換気装置１Ａの外気温度センサ２６とヒータ２７Ａと風圧センサ２８に代えて、温度センサ２９とヒータ２７Ｂを、室内空気流出風路１６ｂにおいて熱交換素子９の室内空気流出部１４ｂと対向した位置に備えたものである。
【００９７】
温度センサ２９は氷結温度検出手段の一例で、熱交換素子９の室内空気流出部１４ｂの表面に取り付けられ、熱交換素子９の室内空気流出部１４ｂの温度を検出する。
【００９８】
ヒータ２７Ｂは加熱手段の一例で、熱交換素子９の室内空気流出部１４ｂを直接的に加熱する。
【００９９】
ここで、第２の換気装置１Ｂにおいて、他の構成は第１の実施の形態の換気装置１Ａと同等であるので、構成の説明は省略する。また、第２の実施の形態の換気装置１Ｂの設置例としては、図３及び図５に示す設置例と同じで良く、換気装置１Ａを換気装置１Ｂに置き換えれば良い。
【０１００】
＜第２の実施の形態の換気装置の制御機能例＞
図８は第２の実施の形態の換気装置１Ｂの制御系の一例を示す機能ブロック図である。換気装置１Ｂは、制御部４１Ｂと操作部４２を備える。制御部４１Ｂは制御手段の一例で、ファンモータ７と、ヒータ２７Ｂと、温度センサ２９等が接続される。
【０１０１】
換気装置１Ｂは、換気風量を切り替えられる構成であり、本例では、換気風量として「標準」と「弱」の２段階に切り替えられるように、ファンモータ７の速度を２段階に切り替える例えば速度切り替えリレー４３を備える。
【０１０２】
ここで、本例では、常時の２４時間換気を行う場合の換気風量を「標準」と設定し、常時２４時間換気運転時より弱い換気風量で換気運転を行う場合の換気風量を「弱」と設定している。
【０１０３】
制御部４１Ｂは、図示しないＣＰＵやメモリ等を備え、温度センサ２９の出力を受け、予め記憶されているプログラムに従って、ファンモータ７とヒータ２７Ｂを制御する。
【０１０４】
＜第２の実施の形態の換気装置の氷結防止制御例＞
図９は第２の実施の形態の換気装置１Ｂにおける氷結防止制御例を示すフローチャートで、次に、各図を参照して、第２の実施の形態の換気装置１Ｂにおける氷結防止制御について説明する。
【０１０５】
ステップＳＢ１：換気装置１Ｂの制御部４１Ｂは、換気風量が「標準」となるようにファンモータ７の速度を速度切り替えリレー４３で切り替えて、建物５１の常時２４時間換気を行う。
【０１０６】
ステップＳＢ２：制御部４１Ｂは、温度センサ２９の出力を監視して、熱交換素子９の室内空気流出部１４ｂの温度を検出する。上述したように、冬季に換気装置１Ｂを使用した場合、外気ＯＡの温度が低く、これに対して空気調和された室内の空気ＲＡの温度及び湿度が高いので、外気ＯＡと室内の空気ＲＡが熱交換素子９で熱交換されると、湿った暖かい室内の空気ＲＡが冷却されることで、熱交換素子９の室内空気風路１１ｂで結露が生じる。
【０１０７】
そして、寒冷地で冬季に換気装置１Ｂを使用して、外気ＯＡの温度が氷点下に達すると、熱交換素子９の室内空気風路１１ｂで主に室内空気流出部１４ｂに氷結が発生する。これにより、寒冷地で冬季に換気装置１Ｂを使用して、室内空気流出部１４ｂに氷結が発生すると、温度センサ２９での検出温度は０℃以下となる。
【０１０８】
ステップＳＢ３：制御部４１Ｂは、温度センサ２９での検出温度が例えば０℃以下となると、ヒータ２７Ｂに通電する。なお、ヒータ通電時の検出温度は一例である。ヒータ２７Ｂは、熱交換素子９の室内空気流出部１４ｂに対向して備えてあるので、ヒータ２７Ｂに通電すると、氷結が発生しやすい熱交換素子９の室内空気流出部１４ｂが直接加熱される。
【０１０９】
これにより、熱交換素子９の室内空気流出部１４ｂや室内空気風路１１ｂで発生した氷結を溶かすことができる。
【０１１０】
ステップＳＢ４：制御部４１Ｂは、温度センサ２９での検出温度が０℃以下となると、換気風量が「弱」となるようにファンモータ７の速度を速度切り替えリレー４３で切り替えて、換気運転を続行する。
【０１１１】
換気風量を「弱」に切り替えることで、熱交換素子９を通る外気ＯＡの風量が低下する。これにより、氷結の促進を抑制すると共に、ヒータ２７Ｂの加熱による氷結の解凍を促進する。
【０１１２】
ステップＳＢ５：制御部４１Ｂは、ヒータ２７Ｂへの通電及び換気風量を「弱」としての換気運転を実行すると、温度センサ２９の出力を監視して、熱交換素子９の室内空気流出部１４ｂの温度を検出する。ヒータ２７Ｂへの通電により、熱交換素子９の室内空気流出部１４ｂが加熱されると、氷結が解凍すると共に、熱交換素子９の室内空気流出部１４ｂの温度が上昇する。これにより、温度センサ２９での検出温度は、氷結が発生しない温度、例えば＋５℃となる。
【０１１３】
そして、制御部４１Ｂは、温度センサ２９での検出温度が氷結が発生しない温度、例えば＋５℃以上となると、ステップＳＢ１に戻り、換気風量が「標準」となるようにファンモータ７の速度を速度切り替えリレー４３で切り替えて、建物５１の常時２４時間換気を行う。
【０１１４】
これに対して、制御部４１Ｂは、温度センサ２９での検出温度が氷結が発生しない温度、例えば＋５℃に到達しない場合は、ヒータ２７Ｂへの通電及び換気風量を「弱」としての換気運転を続行する。
【０１１５】
以上説明したように、第２の実施の形態の換気装置１Ｂでは、氷結の発生しやすい熱交換素子９の室内空気流出部１４ｂの温度を直接検出し、ヒータ２７Ｂで熱交換素子９の室内空気流出部１４ｂを加熱して氷結を溶かす構成とした。
【０１１６】
これにより、寒冷地で冬季に換気装置１Ｂを使用する際に、氷結による熱交換素子９の目詰まりを防ぎ、換気能力及び熱交換能力を低下させることなく２４時間換気が可能となる。
【０１１７】
また、熱交換素子９の室内空気流出部１４ｂの温度を直接検出することで、氷結の発生を確実に検出することができ、ヒータ２７Ｂへの無駄な通電を抑えることができる。更に、熱交換素子９の室内空気流出部１４ｂを直接加熱することで、氷結を短時間で解凍することができると共に、換気風量を落とすことで、氷結の解凍を促進することができる。
【０１１８】
これにより、ヒータ２７Ｂでの電力消費を抑えることができる。
【０１１９】
＜第３の実施の形態の換気装置の構成例＞
図１０は第３の実施の形態の換気装置１Ｃの一例を示す構成図である。第３の実施の形態の換気装置１Ｃは、外気を吸い込んで室内に給気する給気ファン５と、室内の空気を吸い込んで屋外に排気する排気ファン６とを有するファンユニット２と、外気と室内の空気との間で熱交換を行う熱交換素子９を有する熱交換ユニット３とを備える。
【０１２０】
そして、図１で説明した第１の実施の形態の換気装置１Ａの外気温度センサ２６とヒータ２７Ａと風圧センサ２８に代えて、温度センサ３０を外気吸込ダクト取付口２３ａに備えると共に、外気吸込ダクト取付口２３ａに風路開閉ダンパ２３ｃを備えたものである。
【０１２１】
温度センサ３０は外気温度検出手段の一例で、換気装置１Ｃで吸い込む外気ＯＡの温度を検出する。
【０１２２】
風路開閉ダンパ２３ｃは風路開閉手段の一例で、外気吸込ダクト取付口２３ａを開閉して、外気ＯＡを吸い込む風路の開閉を行う。
【０１２３】
ここで、第３の換気装置１Ｃにおいて、他の構成は第１の実施の形態の換気装置１Ａと同等であるので、構成の説明は省略する。また、第３の実施の形態の換気装置１Ｃの設置例としては、図３及び図５に示す設置例と同じで良く、換気装置１Ａを換気装置１Ｃに置き換えれば良い。
【０１２４】
＜第３の実施の形態の換気装置の制御機能例＞
図１１は第３の実施の形態の換気装置１Ｃの制御系の一例を示す機能ブロック図である。換気装置１Ｃは、制御部４１Ｃと操作部４２を備える。制御部４１Ｃは制御手段の一例で、ファンモータ７と、温度センサ３０と、風路開閉ダンパ２３ｃを駆動するダンパモータ４４等が接続される。
【０１２５】
換気装置１Ｃは、換気風量を切り替えられる構成であり、本例では、換気風量として「標準」と「弱」の２段階に切り替えられるように、ファンモータ７の速度を２段階に切り替える例えば速度切り替えリレー４３を備える。
【０１２６】
ここで、本例では、常時の２４時間換気を行う場合の換気風量を「標準」と設定し、常時２４時間換気運転時より弱い換気風量で換気運転を行う場合の換気風量を「弱」と設定している。
【０１２７】
制御部４１Ｃは、図示しないＣＰＵやメモリ等を備え、温度センサ３０の出力を受け、予め記憶されているプログラムに従って、ファンモータ７とダンパモータ４４を制御する。
【０１２８】
＜第３の実施の形態の換気装置の氷結防止制御例＞
図１２は第３の実施の形態の換気装置１Ｃにおける氷結防止制御例を示すフローチャートで、次に、各図を参照して、第３の実施の形態の換気装置１Ｃにおける氷結防止制御について説明する。
【０１２９】
ステップＳＣ１：換気装置１Ｃの制御部４１Ｃは、換気風量が「標準」となるようにファンモータ７の速度を速度切り替えリレー４３で切り替えて、建物５１の常時２４時間換気を行う。
【０１３０】
ステップＳＣ２：制御部４１Ｃは、温度センサ３０の出力を監視して、換気装置１Ｃで吸い込む外気ＯＡの温度を検出する。上述したように、寒冷地で冬季に換気装置１Ｃを使用すると、外気ＯＡの温度によっては熱交換素子９の室内空気風路１１ｂで主に室内空気流出部１４ｂに氷結が発生する。このため、制御部４１Ｃは、吸い込んだ外気ＯＡの温度が、熱交換素子９で氷結が発生する温度か否かを判断する。
【０１３１】
ステップＳＣ３：制御部４１Ｃは、温度センサ３０での検出温度が熱交換素子９で氷結が発生する温度以下、例えば−１０℃以下となると、ダンパモータ４４を駆動して、風路開閉ダンパ２３ｃにより外気吸込ダクト取付口２３ａを閉じる。
【０１３２】
風路開閉ダンパ２３ｃで外気吸込ダクト取付口２３ａを閉じると、給気ファン５が駆動されていても、外気ＯＡは吸い込まれないので、室内への給気は停止する。熱交換素子９の室内空気流出部１４ｂで氷結が発生して、室内空気風路１１ｂが目詰まりを起こすと、外気風路１１ａ側でのみ空気が流れることで、外気ＯＡと室内の空気ＲＡの熱交換が行われず、室内に温度の低い外気ＯＡがそのまま供給されてしまう。
【０１３３】
このため、風路開閉ダンパ２３ｃで外気吸込ダクト取付口２３ａを閉じることで、室内への給気を停止して、温度の低い外気ＯＡが室内へ供給されることを防ぐ。
【０１３４】
また、これにより、熱交換素子９へ温度の低い外気ＯＡの供給が停止されることで、氷結の発生を抑えると共に、暖かい室内の空気ＲＡは熱交換素子９へ供給されるので、熱交換素子９で氷結が発生している場合は、氷結は解凍される。
【０１３５】
ステップＳＣ４：制御部４１Ｃは、温度センサ３０での検出温度が熱交換素子９で氷結が発生する温度以下、例えば−１０℃以下となると、換気風量が「弱」となるようにファンモータ７の速度を速度切り替えリレー４３で切り替えて、換気運転を続行する。
【０１３６】
換気風量を「弱」に切り替えることで、室内の暖められている空気の排気量を減らし、室内の温度低下を防ぐ。
【０１３７】
ステップＳＣ５：制御部４１Ｃは、ヒータ２７Ｂへの通電及び換気風量を「弱」としての換気運転を実行すると、温度センサ３０の出力を監視して、外気ＯＡの温度を検出する。そして、制御部４１Ｃは、温度センサ３０での外気ＯＡの検出温度が熱交換素子９で氷結が発生しない温度以上、例えば−５℃以上となると、ダンパモータ４４を駆動して、風路開閉ダンパ２３ｃにより外気吸込ダクト取付口２３ａを開ける。また、換気風量が「標準」となるようにファンモータ７の速度を速度切り替えリレー４３で切り替えて、建物５１の常時２４時間換気を行う。
【０１３８】
これに対して、制御部４１Ｃは、温度センサ３０での外気ＯＡの検出温度が熱交換素子９で氷結が発生しない温度以上、例えば−５℃に到達しない場合は、風路開閉ダンパ２３ｃによる外気吸込ダクト取付口２３ｂの閉鎖及び換気風量を「弱」としての換気運転を続行する。
【０１３９】
以上説明したように、第３の実施の形態の換気装置１Ｃでは、吸い込む外気ＯＡの温度を検出し、外気ＯＡの温度が熱交換素子９で氷結が発生する温度以下となると、外気吸込ダクト取付口２３ａを閉鎖して外気ＯＡを供給しない構成とした。
【０１４０】
これにより、寒冷地で冬季に換気装置１Ｃを使用する際に、氷結による熱交換素子９の目詰まりを防ぐことができる。また、温度の低い外気ＯＡが室内に供給されることを防ぐと共に、換気風量を落とすことで、室内の暖められている空気の排気量を減らし、室内の温度低下を防ぐことができる。
【０１４１】
＜第４の実施の形態の換気装置の構成例＞
図１３は第４の実施の形態の換気装置１Ｄの一例を示す構成図である。第４の実施の形態の換気装置１Ｄは、外気を吸い込んで室内に給気する給気ファン５と、室内の空気を吸い込んで屋外に排気する排気ファン６とを有するファンユニット２と、外気と室内の空気との間で熱交換を行う熱交換素子９を有する熱交換ユニット３とを備える。
【０１４２】
そして、図１で説明した第１の実施の形態の換気装置１Ａの外気温度センサ２６とヒータ２７Ａと風圧センサ２８に代えて、熱交換素子９の室内空気流入部１４ｂより風上側の風路に除湿手段としての除湿部材を備えたものである。
【０１４３】
除湿部材３８Ａは、湿気を吸収すると共に空気を通すシート状の部材を、排気フィルタ１８に設置した例である。
【０１４４】
除湿部材３８Ｂは、熱交換素子９の室内空気流入部１４ｂより風上側の風路を構成する室内吸込ダクト３６の内壁に、湿気を吸収する部材を設置した例である。
【０１４５】
除湿部材３８Ｃは、湿気を吸収すると共に空気を通すシート状の部材を、室内吸込ダクト３６に接続された吸込グリル３６ａのフィルタ３９に設置した例である。
【０１４６】
なお、除湿部材３８Ａ〜３８Ｃは、全てを備えても良いし、何れかを単体もしくは組み合わせて選択的に備えても良い。
【０１４７】
ここで、第４の換気装置１Ｄにおいて、他の構成は第１の実施の形態の換気装置１Ａと同等であるので、構成の説明は省略する。また、第４の実施の形態の換気装置１Ｄの設置例としては、図３及び図５に示す設置例と同じで良く、換気装置１Ａを換気装置１Ｄに置き換えれば良い。
【０１４８】
＜第４の実施の形態の換気装置の動作例＞
次に、第４の実施の形態の換気装置１Ｄの動作例について説明する。換気装置１Ｄは、所定時間、例えば１時間で部屋５２の空気の半分を入れ替えるために、２４時間連続運転される。すなわち、換気装置１Ｄは、ファンモータ７を駆動することで、給気ファン５の多翼ファン５ａと排気ファン６の多翼ファン６ａが同期して回転する。
【０１４９】
これにより、第１の実施の形態の換気装置１Ａの動作で説明したように、給気ファン５によって外気ＯＡが吸い込まれ、吸い込まれた外気ＯＡは熱交換素子９の外気風路１１ａに流入する。また、排気ファン６によって室内の空気ＲＡが吸い込まれ、吸い込まれた室内の空気ＲＡは熱交換素子９の室内空気風路１１ｂに流入する。
【０１５０】
換気装置１Ｄは、熱交換素子９の室内空気風路１１ｂと繋がる室内空気流入部１４ｂより風上側の風路に除湿部材３８Ａ〜３８Ｃを備えている。これにより、熱交換素子９の室内空気風路１１ｂに流入する室内の空気ＲＡは湿気が吸収され、低湿度の空気となる。
【０１５１】
例えば、除湿部材３８Ａを備えた構成では、室内の空気ＲＡが排気フィルタ１８を通過することで除湿される。また、除湿部材３８Ｂを備えた構成では、室内の空気ＲＡが室内吸込ダクト３６を通ることで除湿される。更に、除湿部材３８Ｃを備えた構成では、室内の空気ＲＡが吸込グリル３６ａから吸い込まれ、吸込グリル３６ａのフィルタ３９を通ることで除湿される。
【０１５２】
熱交換素子９では、外気ＯＡと室内の空気ＲＡとの間で熱交換が行われるが、熱交換素子９の室内空気風路１１ｂに流入する室内の空気ＲＡが低湿度の空気であるので、冬季に換気装置１Ｄを使用した場合に、温度が低い外気ＯＡと温度の高い室内の空気ＲＡとの間で熱交換が行われ、室内の空気ＲＡが冷却されても、飽和空気とはならない。これにより、熱交換素子９の室内空気風路１１ｂで結露や氷結は発生せず、熱交換素子９の室内空気風路１１ｂでの目詰まりは起こらない。
【０１５３】
熱交換素子９で熱交換されて室温に近づけられた外気ＯＡは、給気ＳＡとして室内に供給される。また、室内の空気ＲＡは排気ＥＡとして屋外に排気される。
【０１５４】
以上説明したように、第４の実施の形態の換気装置１Ｄでは、熱交換素子９の室内空気風路１１ｂと繋がる室内空気流入部１４ｂより風上側の風路に除湿部材３８（Ａ〜Ｃ）を備える構成とした。
【０１５５】
これにより、熱交換素子９の室内空気風路１１ｂに流入する室内の空気ＲＡは湿気が吸収され、低湿度の空気となるので、冬季に換気装置１Ｄを使用した場合に、温度が低い外気ＯＡと温度の高い室内の空気ＲＡとの間で熱交換が行われ、室内の空気ＲＡが冷却されても、飽和空気とはならない。
【０１５６】
従って、熱交換素子９の室内空気風路１１ｂで結露や氷結は発生せず、熱交換素子９の室内空気風路１１ｂでの目詰まりは起こらないので、寒冷地で冬季に換気装置１Ｄを使用しても、換気能力及び熱交換能力を低下させることなく２４時間換気が可能となる。
【０１５７】
＜換気装置及び建物の変形例＞
以上説明した第１の実施の形態の換気装置１Ａでは、外気温度センサ２６と風圧センサ２８を用いて氷結の発生を検出するようにしたが、外気温度センサ２６と風圧センサ２８のどちらか一方を備えて氷結の発生を検出する構成としても良い。
【０１５８】
また、第１の実施の形態の換気装置１Ａ、第２の実施の形態の換気装置１Ｂ及び第３の実施の形態の換気装置１Ｃは、第４の実施の形態の換気装置１Ｄと組み合わせて、熱交換素子９の室内空気流入部１４ｂより風上側の風路に除湿部材３８（Ａ〜Ｃ）を備える構成としても良い。
【０１５９】
また、本実施の形態の建物５１では、給気を行う部屋と室内の空気を吸い込む部屋を異なる部屋としたが、同じ部屋でも良い。
【産業上の利用可能性】
【０１６０】
本発明は、寒冷地で使用される換気装置に適用される。
【図面の簡単な説明】
【０１６１】
【図１】第１の実施の形態の換気装置の一例を示す構成図である。
【図２】熱交換素子の概略構成を示す斜視図である。
【図３】第１の実施の形態の換気装置の設置例を示す構成図である。
【図４】第１の実施の形態の換気装置の制御系の一例を示す機能ブロック図である。
【図５】換気装置が設置された第１の実施の形態の建物の一例を示す構成図である。
【図６】第１の実施の形態の換気装置における氷結防止制御例を示すフローチャートである。
【図７】第２の実施の形態の換気装置の一例を示す構成図である。
【図８】第２の実施の形態の換気装置の制御系の一例を示す機能ブロック図である。
【図９】第２の実施の形態の換気装置における氷結防止制御例を示すフローチャートである。
【図１０】第３の実施の形態の換気装置の一例を示す構成図である。
【図１１】第３の実施の形態の換気装置の制御系の一例を示す機能ブロック図である。
【図１２】第３の実施の形態の換気装置における氷結防止制御例を示すフローチャートである。
【図１３】第４の実施の形態の換気装置の一例を示す構成図である。
【符号の説明】
【０１６２】
１Ａ，１Ｂ，１Ｃ，１Ｄ・・・換気装置、２・・・ファンユニット、３・・・熱交換ユニット、４・・・本体ケース、５・・・給気ファン、６・・・排気ファン、７・・・ファンモータ、８・・・ハウジング、８ａ・・・外気吸込口、８ｂ・・・外気吹出口、８ｃ・・・室内空気吸込口、８ｄ・・・室内空気吹出口、９・・・熱交換素子、１０・・・風路形成枠体、１１ａ・・・外気風路、１１ｂ・・・室内空気風路、１２ａ・・・熱交換素子材、１２ｂ・・・熱交換素子材、１３ａ・・・外気流入部、１３ｂ・・・外気流出部、１４ａ・・・室内空気流入部、１４ｂ・・・室内空気流出部、１５ａ・・・外気流入風路、１５ｂ・・・外気流出風路、１６ａ・・・室内空気流入風路、１６ｂ・・・室内空気流出風路、１７・・・給気フィルタ、１８・・・排気フィルタ、１９・・・底蓋、２０・・・ドレンパン、２１・・・点検蓋、２２・・・排水口、２３ａ・・・外気吸込ダクト取付口、２３ｂ・・・排気ダクト取付口、２３ｃ・・・風路開閉ダンパ、２４ａ・・・給気ダクト取付口、２４ｂ・・・室内吸込ダクト取付口、２５ａ・・・給気風路、２５ｂ・・・排気風路、２６・・・外気温度センサ、２７Ａ，２７Ｂ・・・ヒータ、２８・・・風圧センサ、２９・・・温度センサ、３０・・・温度センサ、３１・・・天井裏、３２・・・アンカーボルト、３３・・・外気吸込ダクト、３４・・・排気ダクト、３５・・・給気ダクト、３６・・・室内吸込ダクト、３８Ａ，３８Ｂ，３８Ｃ・・・除湿部材、４１Ａ，４１Ｂ，４１Ｃ・・・制御部、４２・・・操作部、４４・・・ダンパモータ、５１・・・建物、５２・・・部屋、５３・・・廊下、
【図１】
0004784181.tif 000002
【図２】
0004784181.tif 000003
【図３】
0004784181.tif 000004
【図４】
0004784181.tif 000005
【図５】
0004784181.tif 000006
【図６】
0004784181.tif 000007
【図７】
0004784181.tif 000008
【図８】
0004784181.tif 000009
【図９】
0004784181.tif 000010
【図１０】
0004784181.tif 000011
【図１１】
0004784181.tif 000012
【図１２】
0004784181.tif 000013
【図１３】
0004784181.tif 000014